(57)【特許請求の範囲】
【請求項１】
被加工物上をスライド移動させる鉋台と、この鉋台に設けられた嵌合孔に嵌合する鉋身と、この鉋身の先端に設けた嵌合係止部に嵌合係止される刃板と、この刃板を前記嵌合係止部に押さえ付ける押さえ付け部を有し前記鉋身に重合する裏金とから成り、この裏金と前記鉋身とで挟持固定される前記刃板の前端刃縁が前記鉋台の下面より前記嵌合孔を介して前記被加工物側にやや突出状態となるように前記鉋身を前記鉋台の嵌合孔に配設して、この鉋台を前記被加工物上でスライド移動させることで、前記刃板の前端刃縁により被加工物の表面を切削し得る鉋であって、前記裏金の押さえ付け部により前記刃板を前記鉋身の嵌合係止部に押さえ付けることで、前記刃板の左右両縁部が前記被加工物から離反する方向に撓み湾曲せしめられるように前記鉋身の嵌合係止部及び前記裏金の押さえ付け部を構成し、前記鉋身の嵌合係止部にして前記刃板の左右両縁部と対向する位置に夫々、前記裏金の押さえ付け部により前記刃板を前記鉋身の嵌合係止部に押さえ付けた際、この刃板の左右両縁部を前記被加工物と離反する方向に撓み湾曲せしめ得る湾曲ガイド部を設け、前記裏金の押さえ付け部は、前記刃板の前記湾曲ガイド部による前記撓み湾曲を許容し得る形状に設定して、前記刃板の左右両縁部が前記被加工物から離反する方向に撓み湾曲することでこの刃板の左右両縁部が前記被加工物から浮上し得るように構成し、前記鉋身の先端に前記刃板が嵌合係止する前記嵌合係止部を凹設し、この凹設された嵌合係止部の左右両端部の段差面を垂直面でなく滑らかな湾曲傾斜面に設定してこの湾曲傾斜面を前記湾曲ガイド部に設定したことを特徴とする鉋。
【請求項２】
前記裏金の押さえ付け部の左右両端部の下面を前記湾曲ガイド部の湾曲形状と略合致する湾曲形状面に設定して、略同湾曲形状の前記湾曲ガイド部と前記押さえ付け部の左右両端部の下面とで前記刃板の左右両縁部を挟持押圧することで、この刃板の左右両縁部を撓ませて前記湾曲ガイド部及び前記押さえ付け部の左右両端部の下面に沿った湾曲形状に変形せしめ得るように構成したことを特徴とする請求項１に記載の鉋。
【発明の詳細な説明】
【技術分野】
【０００１】
本発明は、鉋に関するものである。
【背景技術】
【０００２】
鉋は、一般に鉋台に設けた嵌合孔のガイド溝に沿って前端縁に刃縁を形成した鉋身を嵌合孔に嵌合し、この鉋身に押さえ金として裏金を押圧重合している。
【０００３】
この鉋身は、従来、軟鉄の地金に前端刃縁として鋼を鍛接した構成や、全体を鋼製として前端に刃縁を研ぎ出す構成が一般的であったが、上記鍛接や研ぎ出し作業が極めて厄介であり、また、砥石によるメンテナンス等が厄介であることから現在は替刃式が採用されることも多い。
【０００４】
替刃式は、鉋身の前端部に替刃板が着脱自在に設けられる構成であり、この替刃式であれば、砥石による砥ぎ作業が不要で新たな替刃板に交換するだけで良く、それだけ作業性に秀れることになる。
【０００５】
ところで、替刃板の前端刃縁の左右両角部は耳が立たないように（中央部に対して角部が没入するように）研磨加工されてＲ形状等となっている。これは、前端刃縁の角部（刃板のエッジ）が中央部に対して突出若しくは面一状態であると上記切削の際にこの角部が被加工物と当接し、痕を付けてしまうからである（耳が立って鉋身より幅広の削り面に段が出てしまう。）。
【発明の開示】
【発明が解決しようとする課題】
【０００６】
しかしながら、替刃板の前端刃縁角部の研磨加工は極めて手間がかかり、鋼製板を打ち抜き加工した後、刃付け加工を行って形成した刃板の前端刃縁の左右両角部に夫々上記研磨加工を行うのは、非常に生産性が悪くコスト高となるのは避けられない。
【０００７】
本発明は、上述のような現状に鑑み成されたもので、刃板の前端刃縁角部を一々研磨する必要なく、簡易な改良でこの前端刃縁の角縁が被加工物に接触して傷を付けることを極めてコスト安に且つ確実に阻止できる極めて実用性に秀れた鉋を提供するものである。
【課題を解決するための手段】
【０００８】
添付図面を参照して本発明の要旨を説明する。
【０００９】
被加工物１上をスライド移動させる鉋台２と、この鉋台２に設けられた嵌合孔３に嵌合する鉋身４と、この鉋身４の先端に設けた嵌合係止部５に嵌合係止される刃板６と、この刃板６を前記嵌合係止部５に押さえ付ける押さえ付け部８を有し前記鉋身４に重合する裏金７とから成り、この裏金７と前記鉋身４とで挟持固定される前記刃板６の前端刃縁９が前記鉋台２の下面より前記嵌合孔３を介して前記被加工物１側にやや突出状態となるように前記鉋身４を前記鉋台２の嵌合孔３に配設して、この鉋台２を前記被加工物１上でスライド移動させることで、前記刃板６の前端刃縁９により被加工物１の表面を切削し得る鉋であって、前記裏金７の押さえ付け部８により前記刃板６を前記鉋身４の嵌合係止部５に押さえ付けることで、前記刃板６の左右両縁部10が前記被加工物１から離反する方向に撓み湾曲せしめられるように前記鉋身４の嵌合係止部５及び前記裏金７の押さえ付け部８を構成し、前記鉋身４の嵌合係止部５にして前記刃板６の左右両縁部10と対向する位置に夫々、前記裏金７の押さえ付け部８により前記刃板６を前記鉋身４の嵌合係止部５に押さえ付けた際、この刃板６の左右両縁部10を前記被加工物１と離反する方向に撓み湾曲せしめ得る湾曲ガイド部11を設け、前記裏金７の押さえ付け部８は、前記刃板６の前記湾曲ガイド部11による前記撓み湾曲を許容し得る形状に設定して、前記刃板６の左右両縁部10が前記被加工物１から離反する方向に撓み湾曲することでこの刃板６の左右両縁部10が前記被加工物１から浮上し得るように構成し、前記鉋身４の先端に前記刃板６が嵌合係止する前記嵌合係止部５を凹設し、この凹設された嵌合係止部５の左右両端部の段差面を垂直面でなく滑らかな湾曲傾斜面に設定してこの湾曲傾斜面を前記湾曲ガイド部11に設定したことを特徴とする鉋に係るものである。
【００１０】
また、前記裏金７の押さえ付け部８の左右両端部12の下面を前記湾曲ガイド部11の湾曲形状と略合致する湾曲形状面に設定して、略同湾曲形状の前記湾曲ガイド部11と前記押さえ付け部８の左右両端部12の下面とで前記刃板６の左右両縁部10を挟持押圧することで、この刃板６の左右両縁部10を撓ませて前記湾曲ガイド部11及び前記押さえ付け部８の左右両端部12の下面に沿った湾曲形状に変形せしめ得るように構成したことを特徴とする請求項１に記載の鉋に係るものである。
【発明の効果】
【００１１】
本発明は、上述のように構成したから、刃板の前端刃縁の左右両縁部が被加工物に対して離反した方向に湾曲することでこの前端刃縁の左右両角部が被加工物に接触することが阻止され、従って、この刃板の前端刃縁の左右両角部を研磨加工せずとも耳が立つことがなく、例えば鋼製板を打ち抜き・直線刃付け加工しただけの安価な刃板を使用することが可能となる極めて実用性に秀れた鉋となる。
【００１２】
また、請求項２記載の発明においては、本発明を一層容易に実現できる一層実用性に秀れたものとなる。
【発明を実施するための最良の形態】
【００１３】
好適と考える本発明の実施形態（発明をどのように実施するか）を、図面に基づいて本発明の作用を示して簡単に説明する。
【００１４】
鉋身４の先端に重合せしめられる刃板６を、例えば鉋身４に重合する裏金７の押さえ付け部８等により鉋身４に押さえ付けた際、刃板６の左右両縁部10が、例えば鉋身４にして前記刃板６の左右両縁部10と対向する位置に夫々設けた湾曲ガイド部11等により被加工物１から離反する方向に撓み湾曲せしめられる。
【００１５】
従って、鉋台２を被加工物１上をスライド移動させてこの被加工物１の表面を切削する際、前記刃板６の左右両縁部10が前記被加工物１から浮上することになり、この刃縁６の前端刃縁９の角部が切削作用を発揮せず、耳が立ってしまうことを阻止できる。
【００１６】
即ち、従来のように刃板６の前端刃縁９の左右両角部に、手間のかかる研磨加工を一々施す必要なく、単に鋼製板を打ち抜き・刃付け加工を行っただけの安価な刃板６を用いることが可能となる。
【００１７】
よって、本発明は、鉋身４に刃板６を押し付けた際、この刃板６の左右両縁部10を被加工物１から離反する方向に撓み湾曲せしめ得る湾曲ガイド部11等を前記鉋身４に設けるだけで、従来必須であった刃板６（替刃板）の前端刃縁９の角部の研磨加工を不要とすることが可能となる。
【００１８】
即ち、刃板６の加工工程を削減して刃板６の量産性を向上させることができ、しかも、研磨加工用の高価な工作装置等も不要となるから、それだけ安価に刃板６を製造可能となり、替刃式でメンテナンスに手間がかからず作業性に秀れるのは勿論、刃板６がより安価となることで切れ味の落ちた刃板６を惜しむことなく切れ味の良い新たな刃板６に交換でき、常に良好な刃縁で被加工物１を切削することが可能な極めて実用的な鉋を実現できることになる。
【００１９】
また、前記裏金７の押さえ付け部８は、前記刃板６の前記湾曲ガイド部11による前記撓み湾曲を許容し得る形状に設定して、前記刃板６の左右両縁部10が前記被加工物１から離反する方向に撓み湾曲することでこの刃板６の左右両縁部10が前記被加工物１から浮上し得るように構成したから、一層容易に且つ確実に刃板６の前端刃縁９の左右両縁部10を前記被加工物１から離反する方向に撓み湾曲させて前端刃縁９の角部が被加工物１に当接することを阻止できる。
【００２０】
また、前記鉋身４の先端に前記刃板６が嵌合係止する前記嵌合係止部５を凹設し、この凹設された嵌合係止部５の左右両端部の段差面を垂直面でなく滑らかな湾曲傾斜面に設定してこの湾曲傾斜面を前記湾曲ガイド部11に設定したから、前記刃板６の左右両縁部10のみを湾曲させて前端刃縁９中央部への影響を可及的に抑制することが可能となる。
【００２１】
また、例えば、前記裏金７の押さえ付け部８の左右両端部12の下面を前記湾曲ガイド部11の湾曲形状と略合致する湾曲形状面に設定して、略同湾曲形状の前記湾曲ガイド部11と前記押さえ付け部８の左右両端部12の下面とで前記刃板６の左右両縁部10を挟持押圧することで、この刃板６の左右両縁部10を撓ませて前記湾曲ガイド部11及び前記押さえ付け部８の左右両端部12の下面に沿った湾曲形状に変形せしめ得るように構成した場合には、刃板６の板厚が多少厚くても確実に左右両縁部10を所望の湾曲形状に変形させることが可能となる。
【実施例１】
【００２２】
本発明の具体的な実施例１について図１〜６に基づいて説明する。
【００２３】
実施例１は、図１に図示したように被加工物１上をスライド移動させる鉋台２と、この鉋台２に設けられた嵌合孔３に嵌合する鉋身４と、この鉋身４の先端に設けた嵌合係止部５に嵌合係止される刃板６と、この刃板６を前記嵌合係止部５に押さえ付ける押さえ付け部８を有し前記鉋身４に重合する裏金７とから成り、この裏金７と前記鉋身４とで挟持固定される前記刃板６の前端刃縁９が前記鉋台２の下面より前記嵌合孔３を介して前記被加工物１側にやや突出状態となるように前記鉋身４を前記鉋台２の嵌合孔３に配設して、この鉋台２を前記被加工物１上でスライド移動させることで、前記刃板６の前端刃縁９により被加工物１の表面を切削し得る鉋であって、前記裏金７の押さえ付け部８により前記刃板６を前記鉋身４の嵌合係止部５に押さえ付けることで、前記刃板６の左右両縁部10が前記被加工物１から離反する方向に撓み湾曲せしめられるように前記鉋身４の嵌合係止部５及び前記裏金７の押さえ付け部８を構成したものである。
【００２４】
具体的には、前記鉋身４の嵌合係止部５にして前記刃板６の左右両縁部10と対向する位置に夫々、前記裏金７の押さえ付け部８により前記刃板６を前記鉋身４の嵌合係止部５に押さえ付けた際、この刃板６の左右両縁部10を前記被加工物１と離反する方向に撓み湾曲せしめ得る湾曲ガイド部11を設け、前記裏金７の押さえ付け部８は、前記刃板６の前記湾曲ガイド部11による前記撓み湾曲を許容し得る形状に設定して、前記刃板６の左右両縁部10が前記被加工物１から離反する方向に撓み湾曲することでこの刃板６の左右両縁部10が前記被加工物１から浮上し得るように構成している。
【００２５】
従って、裏金７を有する一般的な鉋と同様に、裏金７により鉋身４の前端刃縁９を押さえ付けるだけで、前記刃板６の左右両縁部10が撓み湾曲せしめられ、他の押さえ付け用の構造を必要とすることがなく、鉋身４に湾曲ガイド部11を設けるだけの簡易な改良で実現できることになる。
【００２６】
また、実施例１においては、図２に図示したように前記鉋身４の先端に前記刃板６が嵌合係止する前記嵌合係止部５を凹設し、この凹設された嵌合係止部５の左右両端部の段差面を垂直面でなく滑らかな湾曲傾斜面に設定してこの湾曲傾斜面を前記湾曲ガイド部11に設定している。
【００２７】
従って、一般的な替刃式の鉋に設けられる鉋身４の先端に嵌合係止する嵌合係止部５の左右両端部の段差面を湾曲傾斜面に設定するだけで、前記湾曲ガイド部11を実現できることになる。
【００２８】
具体的には、前記湾曲傾斜面が刃板６の左右両縁部10と当接する部位をなだらかな湾曲傾斜面に設定する（言い換えれば、従来の替刃式の鉋の嵌合係止部の左右両端部の段差面から内方に突出するように湾曲傾斜面を設ける。）。
【００２９】
更に、図３に図示したように前記裏金７の押さえ付け部８の左右両端部12の下面を前記湾曲ガイド部11の湾曲形状と略合致する湾曲形状面に設定して、図３（ｂ）に図示したように略同湾曲形状の前記湾曲ガイド部11と前記押さえ付け部８の左右両端部12の下面とで前記刃板６の左右両縁部10を挟持押圧することで、この刃板６の左右両縁部10を撓ませて前記湾曲ガイド部11及び前記押さえ付け部８の左右両端部12の下面に沿った湾曲形状に変形せしめ得るように構成している。
【００３０】
従って、裏金７の押さえ付け部８により鉋身４の嵌合係止部５に刃板６を押し付ける際、前記湾曲ガイド部11と共に押さえ付け部８の左右両端部によってもこの刃板６の左右両縁部10が撓み湾曲せしめられるから、この撓み湾曲がより確実且つスムーズに行われることになり、より肉厚の刃板６であっても良好に撓ませることが可能となり、また、この刃板６に破損等が生じにくい構成となる。更に、湾曲させたい刃板６の左右両縁部10のみを撓ませることができ、中央部を湾曲させてしまうことを可及的に阻止できる。
【００３１】
各部を具体的に説明する。
【００３２】
木製の鉋台２には、嵌合孔３が形成されており、この嵌合孔３の左右両側面には、鉋身４の左右両端部が配設されるガイド溝13が形成されている。
【００３３】
また、鉋台２の嵌合孔３の左右両側面には、前記鉋身４と前記裏金７とを押える押さえ棒14が架設されている。この押さえ棒14は固定状態で設けられている。
【００３４】
また、嵌合孔３の前記押さえ棒14と対向する位置には添設面15が設けられており、前記ガイド溝13によりガイドされた鉋身４の下面はこの添設面15に添設される。
【００３５】
鉋身４は鋼製であり、この鉋身４の先端に前記嵌合孔３のガイド溝に配設される左右両端部を残すように前記嵌合係止部５が凹設されている。
【００３６】
嵌合係止部５は平面視略矩形状であり、この嵌合係止部５の左右両端部の段差面（嵌合係止部５の底面と前記鉋身４の左右両端部表面との段差面）を前記滑らかな湾曲傾斜面に設定している。
【００３７】
この湾曲傾斜面は、前記刃板６の左右両縁部10全体が撓み湾曲し得る長さに形成している。具体的には、刃板６の左右両縁部10との当接面の全長に渡って形成している。従って、極めて良好に刃板６の左右両縁部10を撓み湾曲させることができる。
【００３８】
尚、本実施例においては、湾曲ガイド部11を滑らかな湾曲傾斜面としているが、例えば図６（ａ）に図示したように、段差部17を形成した構成としても良い。この場合、図６（ｂ）に図示したように、刃板６が裏金７により押さえ付けられた際、段差部17の角部が支点となって刃板６の左右両縁部10が湾曲せしめられることになる。
【００３９】
裏金７は鋼製であり、この裏金７の押さえ付け部８は、鉋身４の嵌合係止部５に嵌合係止する刃板６よりやや幅狭に設定している。これは湾曲ガイド部11により撓み湾曲せしめられる刃板６の左右両縁部10の変形を良好に許容するためである。
【００４０】
また、裏金７先端の押さえ付け部８の左右両端部12の下面は前記嵌合係止部５の湾曲傾斜面（湾曲ガイド部11）の湾曲形状と略一致する湾曲形状面に設定されている。図中、符号16は肩である。尚、本実施例においては、裏金７の左右両端部12の下面を湾曲形状面としているが、例えば、単にこの裏金７を前記湾曲ガイド部11間より幅狭に形成する等、裏金７は刃板６の左右両縁部10の湾曲を阻害しない形状であれば良い。
【００４１】
従って、鉋身４の嵌合係止部５と裏金７の押さえ付け部８とで刃板６の前端刃縁９がやや突出するように挟持した状態で、鉋身４の左右両端部を前記ガイド溝13に挿通せしめて押さえ棒14と添設面15との間に鉋身４と裏金７とを、例えば鉋身４の後端をハンマー等で叩いて挿通せしめると、裏金７が押さえ棒14により鉋身４側に押圧されて裏金７は鉋身４に押圧重合され、裏金７の押さえ付け部８により刃板６は鉋身４に押さえ付けられることになる。
【００４２】
この際、更に鉋身４の後端を叩いて刃板６の前端刃縁９の突出度を調整すると共に、裏金７の後端も叩いて押さえ付け部８による刃板６の押さえ量を調整する。
【００４３】
刃板６は鋼製であり、鋼製の板を打ち抜き成形した後、刃付け加工を行うことで形成されている。尚、刃付け加工は前端だけでなく後端にも施される。また、この刃板６の左右両端部を夫々、刃板６の全幅の一割以下の範囲で湾曲せしめることで、刃板６の前端刃縁９の中央部の変形を良好に阻止できることを確認している。
【００４４】
従って、図４，５に図示したように被加工物１の表面を切削する際、刃板６の左右両縁部10が撓み湾曲することで、刃板６の前端刃縁９の角部がこの被加工物１から浮上することになり、この前端刃縁９の角部を被加工物１に当接させることなく、切削加工を行えることになる。
【００４５】
実施例１は上述のように構成したから、鉋身４の先端に重合せしめられる刃板６を、鉋身４に重合する裏金７の押さえ付け部８により鉋身４に押さえ付けた際、刃板６の左右両縁部10が、鉋身４にして前記刃板６の左右両縁部10と対向する位置に夫々設けた湾曲ガイド部11及び裏金７の押さえ付け部８の左右両端部12の下面により押圧挟持され、被加工物１から離反する方向に良好に且つ確実に撓み湾曲せしめられる。
【００４６】
従って、鉋台２を被加工物１上をスライド移動させてこの被加工物１の表面を切削する際、前記刃板６の左右両縁部10が前記被加工物１から浮上することになり、この刃縁６の前端刃縁９の角部が切削作用を発揮せず、耳が立ってしまうことを確実に阻止できる。
【００４７】
即ち、従来のように刃板６の前端刃縁９の左右両角部に、手間のかかる研磨加工を一々施す必要なく、単に鋼製板を打ち抜き・刃付け加工を行っただけの安価な刃板６を用いることが可能となる。
【００４８】
よって、実施例１は、鉋身４に刃板６を押し付けた際、この刃板６の左右両縁部10を被加工物１から離反する方向に撓み湾曲せしめ得る湾曲ガイド部11等を前記鉋身４に設けるだけで、従来必須であった刃板６（替刃板）の前端刃縁９の角部の研磨加工を不要とすることが可能となる。
【００４９】
即ち、刃板６の加工工程を削減して刃板６の量産性を向上させることができ、しかも、研磨加工用の高価な工作装置等も不要となるから、それだけ安価に刃板６を製造可能となり、替刃式でメンテナンスに手間がかからず作業性に秀れるのは勿論、刃板６がより安価となることで切れ味の落ちた刃板６を惜しむことなく切れ味の良い新たな刃板６に交換でき、常に良好な刃縁で被加工物１を切削することが可能な極めて実用的な鉋を実現できることになる。
【００５０】
従って、実施例１は、刃板の前端刃縁の左右両縁部が被加工物に対して離反した方向に湾曲することでこの前端刃縁の左右両角部が被加工物に接触することが阻止され、従って、この刃板の前端刃縁の左右両角部を研磨加工せずとも耳が立つことがなく、例えば鋼製板を打ち抜き・刃付け加工しただけの安価な刃板を使用することが可能となる極めて実用性に秀れた鉋となる。
【実施例２】
【００５１】
本発明の具体的な実施例２について図７，８に基づいて説明する。
【００５２】
実施例２は、押さえ付け部として螺子体（の頭部）を採用した例であり、その余は実施例１と同様である。具体的には、図７，８に図示したように、被加工物１上をスライド移動させる鉋台２と、この鉋台２に設けられた嵌合孔３に嵌合する鉋身４と、この鉋身４の先端に設けた嵌合係止部５に嵌合係止される刃板６と、この刃板６を前記嵌合係止部５に押さえ付ける押さえ付け部８を有し前記鉋身４に重合する裏金７とから成り、この裏金７と前記鉋身４とで挟持固定される前記刃板６の前端刃縁９が前記鉋台２の下面より前記嵌合孔３を介して前記被加工物１側にやや突出状態となるように前記鉋身４を前記鉋台２の嵌合孔３に配設して、この鉋台２を前記被加工物１上でスライド移動させることで、前記刃板６の前端刃縁９により被加工物１の表面を切削し得る鉋であって、前記刃板６に螺子体20の尾部21が挿通される挿通孔23を形成し、この螺子体20の尾部21には前記鉋身４の嵌合係止部５に設けられた螺子孔24と螺合する螺子部を設け、螺子体20を前記挿通孔23に挿通し、前記螺子部を前記螺子孔24と螺合することで、この螺子体20の頭部22により前記刃板６が前記嵌合係止部５に押さえ付けられるように構成し、この螺子体20により前記刃板６を前記鉋身４の嵌合係止部５に押さえ付けることで、前記刃板６の左右両縁部10が前記被加工物１から離反する方向に撓み湾曲せしめられるように前記鉋身４を構成したものである。尚、図８中、符号25は螺子体20の頭部22を逃げる逃げ部である。
【００５３】
即ち、実施例２においては、裏金７はあくまで刃板６の前端刃縁の押さえ量を調整するものであり、前記螺子体20の頭部22により前記刃板６が嵌合係止部５に押さえ付けられることで、前記嵌合係止部５に設けた湾曲ガイド部11により撓み湾曲せしめられるように構成している（図８（ｂ）参照）。但し、螺子体20の頭部22による押さえ付けが不十分であった場合には、勿論裏金７の押さえ付け部８によっても押さえ付けられる。
【００５４】
実施例２のように螺子体20を用いる場合、より確実に且つ精密に刃板６の左右両縁部10を撓み湾曲せしめることができる。特に、刃板６にして湾曲せしめられる左右両縁部10よりやや中央部寄り位置に夫々螺子体20の尾部21が挿通される挿通孔23を設けたから、刃板６の中央部を確実に嵌合係止部５に密着させることができ、前記湾曲ガイド部11により確実に刃板６の左右両縁部10のみを湾曲させて刃板６の前端刃縁９の中央部への影響を最小限に抑えることができることになる。
【００５５】
本発明は、実施例１，２に限られるものではなく、各構成要件の具体的構成は適宜設計し得るものである。
【図面の簡単な説明】
【００５６】
【図１】実施例１の一部を切り欠いた構成概略説明斜視図である。
【図２】実施例１の要部の拡大概略分解説明斜視図である。
【図３】実施例１の要部の拡大概略分解説明正面図である。
【図４】実施例１の使用状態を説明する説明側断面図である。
【図５】実施例１の使用状態を説明する説明背面図である。
【図６】別例の要部の拡大概略分解説明正面図である。
【図７】実施例２の要部の拡大概略分解説明斜視図である。
【図８】実施例２の要部の拡大概略分解説明正面図である。
【符号の説明】
【００５７】
１  被加工物
２  鉋台
３  嵌合孔
４  鉋身
５  嵌合係止部
６  刃板
７  裏金
８  押さえ付け部
９  前端刃縁
10  左右両縁部
11  湾曲ガイド部
12  左右両端部
【図１】
0004832127.tif 000002
【図２】
0004832127.tif 000003
【図３】
0004832127.tif 000004
【図４】
0004832127.tif 000005
【図５】
0004832127.tif 000006
【図６】
0004832127.tif 000007
【図７】
0004832127.tif 000008
【図８】
0004832127.tif 000009